(57)【特許請求の範囲】
【請求項１】
主に洗髪時に好適に使用される手袋であって、
掌を入れる掌袋部と、少なくとも何れかの指が入れられる指袋とからなる手袋本体と、
当該指袋の先端に収容されて爪の下面を保持するサポート部材と
からなり、
当該サポート部材が収容される指袋は、そこに入る指の指先よりも軸方向に長く形成されており、この指先よりも長く形成された指袋の空間内に前記サポート部材が収容さており、
前記サポート部材は、指先よりも延在する爪の下面に面で接して上方が開放している爪当部と、当該爪当部に繋がって指の腹部分に接する基部とからなり、
当該上方が開放した爪当部は指袋の内面と対向し、両者間には爪収容空間が確保されており、
前記爪当部および基部の少なくとも何れかの側面に、爪および指の少なくとも何れかの側面のみを挟持する側壁部が設けられている事を特徴とする、手袋。
【請求項２】
前記手袋本体は、掌側および甲側の少なくとも何れかが通水性及び通気性を有する生地または樹脂シートにより構成されている、請求項１に記載の手袋。
【請求項３】
前記指袋におけるサポート部材が設けられた領域の指腹部分には、突起およびブラシの少なくとも何れかが設けられていいる、請求項１または２に記載の手袋。
【請求項４】
前記サポート部材は、指先と指先よりも延在する爪の下面との間を埋める形状に形成されている、請求項１乃至３の何れか一項に記載の手袋。
【請求項５】
前記手袋本体には、平袋の手の甲側を切り開いた切り欠き部が形成されている、請求項１乃至４の何れか一項に記載の手袋。
【請求項６】
前記爪当て部は、爪の下面の形状に沿う形に湾曲させて形成されている、請求項１乃至５の何れか一項に記載の手袋。
【発明の詳細な説明】
【技術分野】
【０００１】
本発明は、ネイルチップやスカルプチュア等の付け爪、或いはマニキュアを含む各種の装飾を施した爪を保護する為の手袋に関する。
【背景技術】
【０００２】
従来から、ファッションとして自分の爪（以下「自爪」とする）を長く伸ばしたり、自爪に対して長い付け爪（ネイルチップ）を接着したり、或いは自爪や付け爪にスカルプチュアなどの装飾を行う事が行われている。爪に対してこの様な装飾（ネイルチップの接着を含む）を行うことによりファッション性を高めることができるが、その一方で手を使う日常生活においては、伸びた爪が邪魔になり思うように作業できない等の支障を来たすこともあった。
【０００３】
例えば、自爪や装着したネイルチップを長く伸ばしている場合には、キーボード操作などの事務作業や、炊事などの家事などにおいて、爪が引っ掛からないように気をつけて作業しなければならない。また爪を長く伸ばしている場合や爪の表面に凹凸のある装飾を施している場合には、入浴時、特に洗髪時において、髪の毛が長い爪や爪の表面の装飾に引っ掛かってしまい、付け爪が剥がれたり、爪の表面の装飾が剥がれることがあった。
【０００４】
そこで、このような洗髪時における不都合を解消するべく、これまでに幾つかの技術が提案されている。
例えば、特許文献１（特開２００５−２００８２０号公報）では、手袋の指腹部に凸形状の突起を設け、密着部位で指腹部の密着固定により、軽い指の圧力を頭皮に効率的に伝える洗髪ができ、爪袋を設けたことで、爪を保護し爪に圧力をかけずに軽い力で頭皮全体を効率よく洗髪できるようにした洗髪用手袋が提案されている。
【０００５】
また特許文献２（特開２００３−１９０２２号公報）では、爪を保護しながら、頭皮を傷つけずに、シャンプーする事が出来、なおかつマッサージ機能もある、爪保護用指さっくを提供するべく、先端部の切れた指さっくの指腹部に、凹凸部を設け、本体にあたる指さっくと親指用指さっくの甲の部分は、第２関節までとし、各指つけ根部分にフックを設けた爪保護用指さっくが提案されている。
【０００６】
更に、洗髪用途以外にも使用できるネイル保護部材は、例えば特許文献３（実用新案登録第３１３１８１７号公報）で提案されている。すなわちこの特許文献３では、各指を覆う手袋と、この手袋に挿入される指の長爪を保護する保護部、及び保護部に一体形成されて、挿入される指の第一関節から先側を挟持する挟持部を備えた保護片とを有し、この保護片は、前記手袋の各指先側の内面に取着されているネイル保護部材が提案されている。
【先行技術文献】
【特許文献】
【０００７】
【特許文献１】特開２００５−２００８２０号公報
【特許文献２】特開２００３−１９０２２号公報
【特許文献３】実用新案登録第３１３１８１７号公報
【発明の概要】
【発明が解決しようとする課題】
【０００８】
上記の通り、爪（自爪および付け爪を含む。以下同じ。）を保護する観点において、各種の爪保護部材が提案されている。特に、洗髪時において爪を保護するものとして、特許文献１および２に開示される技術が提案されている。
【０００９】
しかしながら、何れの技術も爪の表面側をカバー乃至は保護するものであり、爪面の表側に凹凸のある装飾を施した場合においては、使用できなかったり、或いは十分な保護効果を期待できないのが実情である。
そこで本発明は、第一に爪の表面に凹凸のある装飾を施した場合でも、これを有効に保護することのできる手袋を提供することを第一の課題とする。
【００１０】
また、従前においては洗髪時などにおいて爪面を保護する技術は提案されているが、洗髪や各種の作業のしやすさを向上させることについては、何ら検討されていないのが実情である。
そこで本発明では、単に爪の保護だけでなく、伸ばしたり装飾を施した爪でも、洗髪を含む各種作業を支障なく行うことができるようにした手袋を提供することを第二の課題とする。
【課題を解決するための手段】
【００１１】
上記課題を解決するべく、本発明者は鋭意開発を行った結果、爪先よりも伸びた爪の下面を支持・サポートすることで、爪を保護しながらも、日常生活や事務作業を含む各種の作業に支障を来たさないことを見出し、本発明の手袋を完成するに至った。
【００１２】
即ち本発明にかかる手袋は、各種の用途に使用することができるが、主に洗髪時（即ち、シャンプーやリンスを行う時）に好適に使用される手袋であって、
掌を入れる掌袋部と、少なくとも何れかの指が入れられる指袋とからなる手袋本体と、
当該指袋の先端に収容されて爪の下面を保持するサポート部材とからなり、
当該サポート部材が収容される指袋は、そこに入る指の指先よりも軸方向に長く形成されており、この指先よりも長く形成された指袋の空間内に前記サポート部材が収容さている事を特徴とする。
【００１３】
この手袋本体は、掌を入れる掌袋部と、少なくとも何れかの指を入れる指袋とからなり、少なくとも何れかの指袋は、親指、人差指、中指、薬指、小指の何れかの指が１本だけ入るように形成される。当然のことながら、この５本の指がそれぞれ１本づつ収容される５つの指袋（親指袋、人差指袋、中指袋、薬指袋、小指袋）を備えていても良く、また親指だけが入る親指袋と、その他の指が一緒に入る指袋とが設けられていても良く、或いは人差指袋、中指袋および薬指袋だけが設けられていても良い。
【００１４】
そして、少なくとも何れかの指袋、即ち、親指袋、人差指袋、中指袋、薬指袋または小指袋は、そこに入る指の指先よりも先に空間が存在するように長く、望ましくは伸びた爪を収容できる長さに形成される。なお、この指先よりも長く形成されている部分、即ち延長部分の内側（内部空間）には、爪の下面を保持するべく、後述するサポート部材が収容されることになる。
【００１５】
この手袋本体は、後述するサポート部材を爪の下面に保持する為に機能する他、当該サポート部材を、各指の爪面の下に簡易に配置できるようにするものとして機能する。即ち、単にサポート部材を爪面の下に保持するだけでも良ければ、それぞれの指ごとに、指サックのようなものを装着することとし、この指サックの先端にサポート部材を設けることも考えられるが、これでは各指ごと、即ち最大で１０本の指に対して、いちいち装着作業を行わなければならず、使用時において極めて煩わしいものとなる。そこで本発明では、手袋本体における指袋（望ましくは全ての指袋）を長さ方向に延長させ、延長させた部分内に後述のサポート部材を設けることで、当該サポート部材の着脱を、手袋の着脱に伴い、一気に行い得るようにしたものである。
【００１６】
また、上記の手袋本体（指袋部分を含む）は、その掌（手のひら）側若しくは甲側の少なくとも何れかの部分を通水性または通気性を有する生地、或いは通気性または通水性を有する複数の孔を形成した多孔シートにより構成することが望ましい。手袋本体内に雑菌などが繁殖するのを阻止する為であり、また手袋内に水が入り込むことによる使用時の不快感を解消するためである。このように形成すれば、特に洗髪する場合や炊事などで水を使う場合においても好適に使用することができる。但し、指袋における手の甲側（裏側）の内面は、ゴムやビニールなど、爪が引っ掛かりにくい材料で形成されていることが望ましい。着用における爪の引っ掛かりをなくして、スムーズに着用できるようにする為である。
【００１７】
そして上記の手袋本体における、何れか又は全ての指袋内には、爪の下面を保持するサポート部材が設けられる。
【００１８】
かかるサポート部材は、手袋本体における指袋の先端側に存在して、爪の下面を保持するものであり、その爪の下面を保持する領域（即ち、後述の「爪当部」）は、指先から伸びた爪と同じか、それ以上の長さに形成される。ここで、爪の長さは個人毎に或いは使用する付け爪によって様々であり、それぞれに応じて長さを調整するのが望ましい。但し、本発明にかかる手袋は、洗髪を含む日常生活において支障乃至は不便を感じる長さに伸びた爪で好適に使用されるものであるから、当該サポート部材における爪の下面を保持する領域（即ち、後述の「爪当部」）は、指先よりも５ｍｍ以上、更に１０ｍｍ以上、特に１５ｍｍ以上伸びている爪の下面を支持可能な長さに形成されることが望ましい。例えば、サポート部材における爪の下面を支持する領域の長さを１０ｍｍにすれば、指先から約１０ｍｍ以下の長さに伸びた爪の下面をサポートすることができ、爪の下面を支持する領域の長さを３０ｍｍにすれば、指先から約３０ｍｍ以下の長さに伸びた爪の下面をサポートすることができる。よって、このサポート部材における、爪の下面を支持する領域は、例えば１０ｍｍ、１５ｍｍ、２０ｍｍ、２５ｍｍ、３０ｍｍ、３５ｍｍなど、一定の長さに規格化したものを多数準備することが考えられる。
【００１９】
また、このサポート部材は、指先よりも伸びている爪の下面を確実にサポートできるように、爪の下面に対して面接触するように構成された爪当部を備えることが望ましい。例えば、この爪当て部は、爪の下面の形状に沿うような形に湾曲させて形成する他、平坦な面、或いは平面に形成することができる。
【００２０】
また上記サポート部材は、指先と指先よりも延在する爪の下面との間の空間を埋める形状に形成するのが望ましい。即ち、指の腹部分から爪先に至る空間を満たすような形状に形成するのが望ましい。通常であれば、指先か伸びた爪の下側には空間が存在することになるが、この空間を埋めることにより、指先よりも伸びた爪の部分を指と同じように作用させる事ができる為である。この点、仮に指先よりも伸びた爪の下面が空間になっている場合には、洗髪に際しては指の腹部分で洗わなければならなず、伸びた爪は、単に洗髪時における邪魔なものとなってしまうことから、洗髪などは行いにくいものとなる。しかし、本発明の手袋のように、爪の下面側の空間を充填するようにサポート部材を形成し、これを爪の下側に配置することにより、爪先に至るまで、指と同じように使用することができ、よって爪が長いことによる作業時の支障を解消することができる。
【００２１】
また、このサポート部材は、指先よりも延在する爪の下面に、面で接する用に形成された爪当部と、当該爪当部に繋がって指の腹部分に接する基部とで構成することができる。指の腹部分に接する基部を設けることにより、伸びた爪、すなわちサポート部材に作用する力を指に分散させることができ、これにより爪先に至る範囲を指と同じような感覚で使用することができる。特に、指の腹部分に当接する基部は、指先と第一関節の間に存在する末節の略中間まで、或いは第一関節近傍まで接するように形成することが望ましい。よって、当該サポート部材は、全体として、指先と第一関節の間に存在する末節の略中間から爪先まで、或いは第一関節近傍から爪先までの長さに形成することが望ましい。
【００２２】
また、このサポート部材は、前記爪当部および基部の少なくとも何れかの側面に、爪および指の少なくとも何れかの側面を挟持する側壁部を設けることが望ましい。当該側壁部で爪または指先の側面、或いは爪および指先の側面を挟んで保持することにより、当該サポート部材を確実に指先に固定することができ、これにより爪の下面に存在するサポート部材を指と同じ感覚で使うことができるためである。即ちこのサポート部材が存在する領域で物を掴んだり、押したりする等、指先と同じ事をすることができる。その結果、洗髪時などにおいては、例え爪が長くともこのサポート部材で頭皮をマッサージ・洗浄することができる。
【００２３】
上記のサポート部材は、天然樹脂、合成樹脂など各種の材料で形成する事ができるが、望ましくは一定の弾力性を有する材料、例えば発泡性樹脂、ゴム成分含有樹脂、天然ゴム、合成ゴム、コルク等を用いて形成することが望ましい。そして、当該サポート部材は、指袋の先端に収容され、望ましくは指当面を除く少なくとも何れかの領域において、指袋の内周面に接着されている事が望ましい。このように設置したサポート部材では、指当面の上方で、当該指当面と指袋内面との間に爪を収容する為の空間（爪収容空間）を確保することができる。よって、この手袋の装着に際しては、伸びた爪をこの爪収容空間に差し入れることにより、当該爪をサポート部材で保護することができる。特に、この爪収容空間の上面は、指袋の内面であり、平袋部から連続して繋がっていることから、伸びた爪の爪先を手袋の内面を滑らせるようにして差し込んでいけば、特段の位置決めを要せずに、確実に爪収容空間内に案内することができる。なお、このサポート部材は、手袋の製造に際して指袋内に一体化して成型することもできる。
【００２４】
そして上記手袋を、特に洗髪の用途に使用する場合には、手袋本体の指袋の指腹部分（即ち掌側、または表側）に、突起およびブラシの少なくとも何れかを設ける事が望ましい。突起を設けた場合には、洗髪時において頭皮をマッサージすることができ、またブラシを設けた場合には、頭皮や頭髪の洗浄をより効果的に行うことができる。特に、このような突起やブラシは、指袋における指の腹の部分だけでなく、サポート部材が設けられている領域、即ち指先から伸びている爪の裏側部分にも形成することができる。その結果、突起やブラシを広範囲に設けることができ、洗髪を効率的に行うことが可能になる。
【００２５】
なお、本発明の手袋は、主に洗髪時において好適に使用されるものではあるが、必ずしも洗髪の用途に限るものではなく、例えば炊事や洗濯などの日常的な作業用途、或いはキーボード操作などの事務作業用途などにおいても使用することができる。即ち、例え洗髪以外の用途に使用される手袋であっても、上記した手袋本体とサポート部材とを具備する限り、本発明の技術的範囲に含まれる。
よって、用途を限定しない手袋として、掌を入れる掌袋部と、少なくとも何れかの指が入れられる指袋とからなる手袋本体と、当該指袋の先端に収容されて爪の下面を保持するサポート部材とからなり、当該サポート部材が収容される指袋は、そこに入る指の指先よりも軸方向に長く形成されており、この指先よりも長く形成された指袋の空間内に前記サポート部材が収容さている事を特徴とする手袋も本発明に含まれる。
【００２６】
なお、本明細書中で単に「爪」と示した場合には、自爪および付け爪を含む意味であり、その表面に凹凸のある装飾が施されているか否かは問わないが、少なくとも指先よりも長く伸びている爪を意味する。
【発明の効果】
【００２７】
本発明にかかる手袋によれば、単に爪を保護するだけでなく、指先から伸びた爪をも有効に利用する事ができ、あたかも指が伸びたかのようにして洗髪その他の作業を行うことができる。
【００２８】
そして上記のようにサポート部材により爪の下面を保護することにより、作業時などにおいて当該爪が折れる等の損傷を未然に防止することができる。特に本発明にかかるサポート部材は、爪の下面をサポートするものであるから、たとえ爪の表面（上面）に立体的な装飾を行った場合でも、伸びた（又は伸ばした）爪を確実に保護することができる。
【００２９】
そしてサポート部材は、手袋本体における指袋内に設けられていることから、使用時における着脱を容易に行うことができ、しかも爪の表面を指袋で覆うことにより、爪の表面に施した装飾を保護し、更に爪の表面に形成した凹凸のある装飾への頭髪の引っ掛かりなどを阻止することができる。
【００３０】
更に、サポート部材において爪の下面を支持する爪当面は、その上方が開放されており、指袋の内面と対向している事から、装着時には伸びた爪先を指袋の内面に押し当てながら指袋に侵入させるだけで、簡易に爪の下面を指当面に案内することができる。
【００３１】
よって本発明にかかる手袋を使用することにより、日常生活における様々な場面、特に洗髪時などにおいて、爪の保護と同時に爪を長く伸ばしている事に起因する不都合を解消し、伸びた爪も指と同じ感覚で機能させることができる。
【図面の簡単な説明】
【００３２】
【図１】実施の形態にかかる手袋を手の甲側から見た内部透視斜視図
【図２】図１に示した手袋を掌側から見た内部透視斜視図
【図３】指袋内を示す、長さ方向に沿う要部断面略図
【図４】サポート部材を示す透視斜視図（Ａ）、および同爪の差込方向から見た図（Ｂ）
【図５】他の実施の形態にかかる、サポート部材を示す透視斜視図
【図６】他の実施の形態にかかる手袋を手の甲側から見た内部透視斜視図
【図７】図６に示した手袋における指袋内を示す長さ方向に沿う要部断面略図
【図８】使用状態を示す略図
【発明を実施するための形態】
【００３３】
以下図面に基づいて、本実施の形態にかかる手袋５０を説明する。図１は本実施の形態にかかる手袋５０を手の甲側から見た内部透視斜視図であり、図２は当該手袋５０を掌（手のひら）側から見た内部透視斜視図であり、図３は指袋１０の内を示す長さ方向に沿う要部断面略図であり、図４は指袋１０の内に設けられるサポート部材３０を示す透視斜視図（Ａ）、および同爪Ｎの差込方向から見た図（Ｂ）であり、図５は他の実施の形態にかかる、サポート部材３０を示す透視斜視図であり、図６は他の実施の形態にかかる手袋５０を手の甲側から見た内部透視斜視図であり、図７は図６に示した手袋５０における指袋１０の内を示す長さ方向に沿う要部断面略図であり、図８は使用状態を示す略図である。
【００３４】
先ず、図１〜４を参照しながら、１つめの実施の形態にかかる手袋５０を説明する。この実施の形態にかかる手袋５０は、図１および２に示すように、手袋本体４０における５本の指袋１０の全てを、指先Ｆよりも長く形成し、この長く延長させた指袋１０の内の先端側に、図４に示すようなサポート部材３０を配置している。この指袋１０の内の先端にサポート部材３０を設けた状態は、図２に示すとおりであり、指袋１０の内に差し込んだ指は、その腹部分がサポート部材３０の基部３４に接すると共に、伸びた爪Ｎが爪当部３２３２に載せ置かれる。
【００３５】
特にこの実施の形態にかかる手袋５０は、伸びた指の手にも着用しやすいように、手袋本体４０の平袋２０の手の甲側を切り開いた切り欠き部２１を形成している。即ち、この手袋５０を着用する場合、例えば右手に着用する際には、この手袋５０を左手で抑えながら右手を手袋５０内に挿入することになるが、この手袋５０を抑える左手も、通常であれば爪Ｎを長くするなどの装飾が施されている。従って、本実施の形態に示すように、手の甲側を切り開いて装着のしやすさを向上させなければ、爪Ｎが伸びた手で手袋５０を装着するのは困難になってしまう。従って、本発明のように装着のしやすさを向上させることは、その使い勝手を向上させ、実用に耐え得るものとする上では重要である。
【００３６】
また図１に示す実施の形態の手袋５０において、手袋本体４０の手の甲側（裏側とも言う）は、ゴムやビニールなどの樹脂材料を用いて形成しており、任意ではあるが、その内面には、伸ばした爪Ｎが引っ掛からない程度の布地を裏張りすることもできる。また、手袋本体４０の掌側（表側）は、通気性又は通水性を有するように形成しており、例えばメッシュ材料や布帛を用いて形成することができる。また、裏側と同じくゴムやビニールで形成した後、通水性や通気性を確保する為の孔を設けて形成することもできる。また、この通気性および通水性を有する孔は、手袋本体４０の掌側のみならず、指袋１０の先端に形成することもできる。使用に際して手袋５０の内に入った水を排出し、迅速に乾燥させるためである。
【００３７】
このように形成された手袋５０内に、爪Ｎが長い手を差し入れると、図１に示すように爪Ｎの先端が、延長させた指袋１０の内に存在することになる。そして、この図１中の親指袋１０の内に現れているように、長い爪Ｎは指袋１０の内のサポート部材３０に下面が支持されることになる。
【００３８】
サポート部材３０は、ウレタン樹脂やシリコン樹脂或いはゴムなどで形成されており、図３および４に示すように、伸ばした爪Ｎの下面が載せられる平坦な爪当部３２と、その後端に連続して繋がり、指の表側（腹側）が載せられる基部３４と、この基部３４の両側から立ち上がり指先Ｆの側面を挟む側壁部３６とで構成されている。かかるサポート部材３０を指袋１０の内に設置した状態は図３に示すとおりである。指袋１０の内に挿入された指は、その腹部分（指先Ｆの表側）が基部３４の上に載り、指先Ｆから伸びた爪Ｎが爪当部３２３２の上に載る。そしてこのサポート部材３０と指との係合状態は、側壁部３６で指の側面を挟んでいる事、および指とサポート部材が一体として指袋１０で被覆されることにより、確実に維持されることになる。
【００３９】
特に、サポート部材３０における爪当部３２の上方には、指袋１０の内面との間に爪収容空間１５が確保されている。指袋１０の内に差し込まれた指の爪Ｎは、この爪収容空間１５内に存在することになるが、この空間の存在により、例えば爪Ｎの表面に凹凸のある装飾を施した場合であっても、当該凹凸を含めて指袋１０の内に収容することができる。更に、この爪収容空間１５は、指袋１０の内面によって区画されていることから、着用時には伸ばした爪Ｎを、指袋１０の内面を滑らせるようにして挿入していけば、自ずと爪収容空間１５内に案内されることになる。
【００４０】
差し込んだ指がこのサポート部材３０と係合した状態において、指袋１０内の指先Ｆから伸びた爪Ｎの下側には、当該サポート部材３０が存在し、これが指袋１０内の先端側に生じる空間を満たす。そして、このサポート部材３０は、基部３４に差し込んだ指の腹で支持されていることから、仮に伸びた爪Ｎの下側の領域（爪当部３２が存在する領域）であっても、物を押さえたり、掴んだりすることができ、恰も指が伸びたのと同じようにして作業することができる。
なお、図２において各指袋１０の内の先端側に示されているのは、上記のサポート部材３０である。
【００４１】
図５は、上記図４に示したサポート部材３０に変えて使用することのできる、他の実施の形態にかかるサポート部材３０’であり、特に、側壁部３６’を爪当部側まで形成した点が相違する。この図に示すように、指先を挟む側壁部３６を爪当部の側方にも形成することにより、差し込んだ爪Ｎを保持することができる。その結果、サポート部材３０と指との一体感を高めることができる、更に爪収容空間１５を確実に確保可能になる。よって、表面に凹凸のある装飾を施した爪Ｎであっても、簡易に挿入し、その装飾を保護することができる。更に、伸ばした爪Ｎの側面を何かにぶつける等、何らかの負荷がかかってしまうと、通常であれば爪Ｎが剥がれたり折れたりすることも考えられるが、爪Ｎの側面にも側壁部３６を存在させることにより、このような問題を解決することができる。
【００４２】
次に図６および７を参照しながら、特に洗髪など、髪や身体、或いは食器などを洗浄するのに適した実施形態の手袋５０’を説明する。特に、この形態の手袋５０’は、手袋本体４０における指袋１０の表側（掌側）に、ブラシ状の突起３５を形成したものである。この突起３５はサポート部材３０の存在する領域に形成されており、望ましくは挿入した指の第一関節よりも先に形成されている。かかる突起３５は、手袋５０の製造に際して一体成型する他、後から植生したり、ブラシ状の突起を設けたシートを、手袋５０の指先に貼付することもできる。
【００４３】
なお、このようなブラシ状の突起３５は、２ｍｍ〜１５ｍｍ程度、望ましくは３ｍｍ〜１０ｍｍ程度の長さに形成することができる。このような突起３５を設けることにより、例えば図８に示すように、両手に当該手袋５０を着用して洗髪を行えば、この突起３５の存在により、毛髪や頭皮を効果的に洗い、また頭皮をマッサージすることもできる。
【産業上の利用可能性】
【００４４】
本発明により、新たな手袋が提供されることにより、手袋製造業界における活性化が期待される。更に本発明の手袋を使用することにより、爪を伸ばしても、何ら不便を感じることなく、洗髪その他の日常生活を送ることが可能になるのであるから、美容産業の活性かも期待することができる。
【符号の説明】
【００４５】
１０ 指袋
１５ 爪収容空間
２０ 平袋
３０ サポート部材
３２ 爪当部
３４ 基部
３５ 突起
３６ 側壁部
４０ 手袋本体
５０ 手袋
Ｆ 指先
Ｎ 爪
【図１】
0005643518.tif 000002
【図２】
0005643518.tif 000003
【図３】
0005643518.tif 000004
【図４】
0005643518.tif 000005
【図５】
0005643518.tif 000006
【図６】
0005643518.tif 000007
【図７】
0005643518.tif 000008
【図８】
0005643518.tif 000009